(57)【要約】      （修正有）【課題】掃き掃除が簡単に出来る歯科技工用石膏分離のこ具用などにも取付けられる糸のこ具用取付け掃き具を提供する。【解決手段】侠着本体１に侠着支持部４,４と嵌合部５と凹型嵌合６を設け、侠着本体１の上部面に、挿着部２を設け、掃具部材３を取付けられるように設ける。そして、侠着本体１,１が接合できるように侠着本体１の接合面片側に、凸接合部７,７を設け、もう一方の接合面に凹接合部を設け複数の侠着本体１を接合する。【選択図】    図１
2004314285.tif 000002
【特許請求の範囲】
【請求項１】
侠着本体（１）に侠着支持部（４）（４）と凸接合部（７）（７）と凹接合部（８）（８）を有し、上部面に、挿着部（２）を設け、掃具部材（３）を取付けられるように設けた糸のこ具用に取付ける掃き具。
【請求項２】
侠着本体（１）に侠着支持部（４）（４）と凸接合部（７）（７）と凹接合部（８）（８）を有し、上部面に、挿着部（２）を設け、掃具部材（３）を取付けられるように設けた歯科技工用石膏分離のこ用に取付ける掃き具。
【請求項３】
侠着本体（１４）（１６）に接着部（１５）を有し、掃具部材（３）を取付けられるように設けた糸のこ具用に取付ける掃き具。
【発明の詳細な説明】
【０００１】
【発明の属する技術分野】
この発明は、ハンディー型糸のこを用いて各作業時に糸のこを利用するときにでる作業カスやゴミ等を、糸のこ作業等しながら糸のこ本体（１０）の糸のこ上部フレーム（１１）に取り付けた掃き具で簡易に糸のこ作業しながら埃等を容易に取り除き、作業中断をしないで作業などができる掃き具に関するものである。
【０００２】
【従来の技術】
従来、ハンディー型糸のこを用いた作業時の簡易清掃するときは、その作業の仕事を中断して、作業カスやゴミ等をかたずけなければならなかった、更に掃出しに至っては作業テーブル台などに溜ったのこかすなどを、貴重な作業時間をなるべく手を休めずに仕事をすすめようとすると、作業カスのゴミ等が溜まり過ぎて、かえって作業効率が悪くなったりするから作業を中断して清掃に時間をはぶかなければならなかった、清掃に用いる掃き掃除の用具には、他の使用目的に作られた掃き具のほうきなどを代替えに用いて利用していた。
従来には、ハンディー型糸のこを用いて作業しながら容易に掃き具の清掃する場合には代用品として用いることを考量した場合使用できる刷毛のついた用具として使用が考えられる。（例えば特許文献１参照）。
また、類似道具として刷毛のついたブラシ型用具として使用が考えられる。（例えば特許文献２参照）。
また、刷毛具の部分をスポンジ刷毛に置き換えた清掃具なども使用が考えられる。（例えば特許文献３参照）。
【０００３】
【特許文献１】
特開２０００−５０９５６号公報
【特許文献２】
特開２００２−１２５７５８号公報
【特許文献３】
実用新案登録第３０５２３０４号
【０００４】
【発明が解決しようとする課題】
これは次のような欠点があった。
イ．精密な作業の製品加工なのでできる限り作業カスは作業テーブルから排除したいが、清掃の為に手を作業を止めないと、排除出来なかった。
ロ．代替えの刷毛具などのついた清掃具では、作業の手をとめて、刷毛具をもち替えなければならない。
ハ．吸引するような掃除機具では、精密な作業の仕事なかでの騒音とうは、仕事の集中にかけるなどにも繋がる。また誤認部品吸い込みの原因にもなり不向きである。
ニ、埃をたてにくくして、掃出し面積を広くして、簡易な動作で掃き出しができる刷毛具がなかった。
ホ、従来ある掃き具では、刷毛部材が固定かされた堅い毛ブラシなどで出来ているため掃出しにくい、従って、仮に作業を中断して清掃に用いても短時間に作業カスの除去する刷毛具には不向きである。
ヘ、刷毛具の部材で一部ウレタンなどの使用されたものがあるが、便器用などの清掃用具のため使用用途が違い過ぎて、代用には向かない欠点がある。
本発明は、以上の欠点を解決するためになされたものである。
【０００５】
【問題を解決するための手段】
侠着本体（１）に侠着支持部（４）（４）と嵌合部（５）と凹型嵌合部（６）を設け、侠着本体（１）の上部面に、挿着部（２）を設け、掃具部材（３）を取付けられるように設ける。そして、侠着本体（１）（１）が接合（９）できるように侠着本体（１）の接合面片側に、凸接合部（７）（７）を設け、もう一方の接合面に凹接合部（８）（８）を設ける。
本発明は、以上の構成よりなる歯科技工用石膏分離のこ用および糸のこ具用に取付けられる糸のこ具用取付け掃き具である。
【０００６】
【発明の実施の形態】
以下、本発明の実施の形態を説明する。
（イ）  侠着本体（１）に侠着支持部（４）（４）と嵌合部（５）と凹型嵌合部（６）を設ける。
（ロ）  侠着本体（１）の上部面に、挿着部（２）を設け、掃具部材（３）を取付けられるように設ける。
（ハ）  侠着本体（１）（１）が接合（９）できるように侠着本体（１）の接合面片側に凸接合部（７）（７）を設け、もう一方の接合面に凹接合部（８）（８）を設ける。
（ニ）  丸型侠着本体（１４）平型侠着本体（１６）に接着部（１５）（１５）を設け、掃具部材（３）を取付けられるように設ける。
本発明は、以上の構成よりなっている。
本発明を使用するときは、糸のこ上部フレーム（１１）に侠着し反転させるだけで、次のような作業の、のこカスなどを手を休めたり、あらたに掃き具を用意せずに掃き掃除が簡単に出来る、糸のこ具用などに簡易に取付けられ糸のこ使用時の、のこカスや埃を掃出すことが容易に出来にくく、作業テーブル台に、のこカスや埃を溜めてしまいがちになり製品品質管理などが落ちる。
従って、侠着本体（１）の侠着支持部（４）（４）に糸のこ上部フレーム（１１）に容易に侠着され、糸のこ本体（１０）の上部の形態が丸フレーム（１２）の場合は嵌合部（５）の形状に沿って支持され掃き具付きの便利な糸のこなどになる。
また、侠着本体（１）の侠着支持部（４）（４）に分離のこ上部フレーム（１１）に容易に侠着され、糸のこ本体（１０）の上部の形態が平型フレーム（１３）の場合は嵌合部（６）の形状に保持され掃き具付きの便利な糸のこになる。
このとき、掃き具付きを備えた便利な糸のこなどになるので、作業しながらのこ使用時にでるのこカスを作業中断をしないで、容易に糸のこ本体（１０）の上部に侠着した掃き具を、使用の時に掃き具を備えた側を下に、反転させるだけで便利な掃き具を備えた糸のこになり、作業カスなどを作業テーブル上に溜めることもなく、また埃もたてにくくクリーンな作業状態で仕事が出来る。
また、糸のこ上部フレーム（１１）の形状に容易に侠着できる丸型侠着本体（１４）平型侠着本体（１６）による単体形状侠着部を設けることなどの工夫も可能である。
さらに  侠着本体（１）の上部面に設けた挿着部（２）に挿着する、掃具部材（３）はウレタン材、スポンジ材、発砲材、プラスチック材、刷毛材、ブラシ材、たわし材その他の掃具材などを選択して容易に挿着部（２）に挿着することが出来る。
また、丸型侠着本体（１４）平型侠着本体（１６）の上部面には接着部（１５）（１５）設け、掃具部材（３）（３）を固定するように設けることが出来る。また、侠着本体（１）に設けた、侠着本体（１）（１）が接合（９）できるように侠着本体（１）の接合面片側に凸接合部（７）（７）を設け、もう一方の接合面に凹接合部（８）（８）を設け糸のこ本体（１０）の糸のこ上部フレーム（１１）の長さに容易に合わせることが出来るように接合自在な形状に工夫を設けられていて、歯科技工用石膏分離のこ用に取付ける掃き具にも用いることも出来る、糸のこ具用に取付ける掃き具。糸のこ本体（１０）上部の形態が丸型フレーム（１２）、平型フレーム（１３）などの形状にも容易に侠着できる。
【０００７】
【発明の効果】
本発明を使用することによって、作業しながら糸のこ使用時にでるのこカスを作業中断をしないで、容易に糸のこの上部に侠着した掃き具を、使用の時に掃具部材（３）を備えた側を下に、反転させるだけでのこカスなどを除去出来る。しかも、便利な掃き具を備えた糸のこになり、作業カスなどを作業テーブル上に溜めることもなく、また埃もたてにくく、のこカスなどを簡易に除去でき今使用の分離のこや糸のこなどを改造したりすることもない。
【図面の簡単な説明】
【図１】本発明の斜視図
【図２】本発明の接合斜視図
【図３】本発明の付属品斜視図
【図４】本発明の使用状態を示す側面図
【図５】本発明の使用状態を示す側面図
【図６】本発明の使用状態を示す斜視図
【図７】本発明の使用状態を示す斜視図
【図８】本発明の使用状態を示す斜視図
【図９】本発明の使用状態を示す斜視図
【符号の説明】
１  侠着本体
２  挿着部
３  掃具部材
４  侠着支持部
５  嵌合部
６  凹型嵌合部
７  凸接合部
８  凹接合部
９  接合
１０  糸のこ本体
１１  糸のこ上部フレーム
１２  丸型フレーム
１３  平型フレーム
１４  丸型侠着本体
１５  接着部
１６  平型侠着本体
【図１】
2004314285.tif 000003
【図２】
2004314285.tif 000004
【図３】
2004314285.tif 000005
【図４】
2004314285.tif 000006
【図５】
2004314285.tif 000007
【図６】
2004314285.tif 000008
【図７】
2004314285.tif 000009
【図８】
2004314285.tif 000010
【図９】
2004314285.tif 000011